(57)【要約】【課題】殺菌に用いた過酸化水素が残留しても内容物に移りにくい包装袋の無菌製袋充填方法を提供する。【解決手段】再封可能な包装袋１００の無菌製袋充填方法であって、包装袋の表フィルムと裏フィルムとなる長尺フィルムを搬送する工程、表フィルムあるいは裏フィルムの外面の所定の位置に再封部材を取り付ける工程、過酸化水素水に浸漬あるいは過酸化水素ガス処理により殺菌する工程、過酸化水素を除去する工程、製袋・充填シールする工程を有し、再封部材が、雄型嵌合部を有する雄側チャックテープ１０ａと雌型嵌合部を有する雌側チャックテープ１０ｂとからなるチャックテープ１０であって、再封部材を取り付ける工程が、包装袋の開封予定線８の下方で、表フィルムの外面となる位置に、雄側チャックテープ１０ａと雌側チャックテープ１０ｂとを折返予定線１１を挟んで並行して取り付ける工程である。【選択図】図１
2017039525.tif 000002
【特許請求の範囲】
【請求項１】
再封可能な包装袋の無菌製袋充填方法であって、
前記包装袋の表フィルムと裏フィルムとなる長尺フィルムを搬送する工程、前記表フィルムあるいは前記裏フィルムの外面の所定の位置に再封部材を取り付ける工程、過酸化水素水に浸漬あるいは過酸化水素ガス処理により殺菌する工程、前記過酸化水素を除去する工程、製袋・充填シールする工程を有し、
前記再封部材が、雄型嵌合部と雌型嵌合部を有するチャックテープからなり、
前記再封部材を取り付ける工程が、前記包装袋の開封予定線の下方で、前記表フィルムの外面となる位置に、前記雄型嵌合部と前記雌型嵌合部とを並行して取り付ける工程であることを特徴とする包装袋の無菌製袋充填方法。
【請求項２】
再封可能な包装袋の無菌製袋充填方法であって、
前記包装袋の表フィルムと裏フィルムとなる長尺フィルムを搬送する工程、前記表フィルムあるいは前記裏フィルムの外面の所定の位置に再封部材を取り付ける工程、過酸化水素水に浸漬あるいは過酸化水素ガス処理により殺菌する工程、前記過酸化水素を除去する工程、製袋・充填シールする工程を有し、
前記再封部材が、互いに面々でくっつくことのできる面ファスナーからなり、
前記再封部材を取り付ける工程が、前記包装袋の開封予定線の下方で、前記表フィルムの外面となる位置に、互いに面々でくっつく前記面ファスナーを並行して取り付ける工程であることを特徴とする包装袋の無菌製袋充填方法。
【請求項３】
再封可能な包装袋の無菌製袋充填方法であって、
前記包装袋の表フィルムと裏フィルムとなる長尺フィルムを搬送する工程、前記表フィルムあるいは前記裏フィルムの外面の所定の位置に再封部材を取り付ける工程、過酸化水素水に浸漬あるいは過酸化水素ガス処理により殺菌する工程、前記過酸化水素を除去する工程、製袋・充填シールする工程を有し、
前記再封部材が、外面に保護層を設けた粘着層からなり、
前記再封部材を取り付ける工程が、前記包装袋の開封予定線の下方で、前記表フィルムの外面となる位置に、前記保護層を設けた粘着層を並行して取り付ける工程であることを特徴とする包装袋の無菌製袋充填方法。
【請求項４】
再封可能な包装袋の無菌製袋充填方法であって、
前記包装袋の表フィルムと裏フィルムとなる長尺フィルムを搬送する工程、前記表フィルムあるいは前記裏フィルムの外面の所定の位置に再封部材を取り付ける工程、過酸化水素水に浸漬あるいは過酸化水素ガス処理により殺菌する工程、前記過酸化水素を除去する工程、製袋・充填シールする工程を有し、
前記再封部材が、雄型嵌合部と雌型嵌合部を有するチャックテープからなり、
前記再封部材を取り付ける工程が、前記包装袋の開封予定線の下方で、前記雄型嵌合部と前記雌型嵌合部の間を２回同方向に折り返すことにより前記雄型嵌合部と前記雌型嵌合部が嵌合するように、前記表フィルムの外面となる位置と前記裏フィルムの外面となる位置にそれぞれ前記雄型嵌合部と前記雌型嵌合部とを取り付ける工程であることを特徴とする包装袋の無菌製袋充填方法。
【請求項５】
再封可能な包装袋の無菌製袋充填方法であって、
前記包装袋の表フィルムと裏フィルムとなる長尺フィルムを搬送する工程、前記表フィルムあるいは前記裏フィルムの外面の所定の位置に再封部材を取り付ける工程、過酸化水素水に浸漬あるいは過酸化水素ガス処理により殺菌する工程、前記過酸化水素を除去する工程、製袋・充填シールする工程を有し、
前記再封部材が、互いに面々でくっつくことのできる面ファスナーからなり、前記再封部
材を取り付ける工程が、前記包装袋の開封予定線の下方で、互いに面々でくっつく２つの前記面ファスナーの間を２回同方向に折り返すことにより２つの前記面ファスナーがくっつくように、前記表フィルムの外面となる位置と前記裏フィルムの外面となる位置にそれぞれ前記面ファスナーを取り付ける工程であることを特徴とする包装袋の無菌製袋充填方法。
【発明の詳細な説明】
【技術分野】
【０００１】
本発明は、包装袋の無菌製袋充填方法に関するものである。
【背景技術】
【０００２】
病院で患者さんなどに、栄養剤や医薬品などの流動食を投与するとき、胃や腸に挿入したチューブを通して投与することがある。この場合、あらかじめ、パウチ内に収納されていた内容物に希釈液などを追加して、パウチの下方に設けられた注出口にチューブを連結させて行っている。
【０００３】
このようなパウチでは、希釈液などを追加するための充填口が設けられ、この充填口を再封するためのチャックが設けられているものがある。例えば、特許文献１に記載の「注出口付きパウチ」がある。
【０００４】
この注出口付きパウチは、上部シール部分に外部より飲料水等を注入するための開口部を有し、かつ前記開口部に左右に跨る開閉封自在なチャックが形成され、さらには、パウチを吊り下げるための吊下孔がシール部分に形成され、開口部の左右に少なくとも僅かなシール幅を残し、シール部分の一部を切り取った形状からなる切欠き部が形成され、開口部のチャックの上方の位置にシール部分の左右から内方に突出するシール部分が設けられている。
【０００５】
このような、栄養剤や医薬品などの内容物は、保存性や体内に投与されることから、無菌であることが求められる。そのため、一般にパウチは内容物が充填密封された後、加圧加熱殺菌されている。
【０００６】
この加圧加熱殺菌では、内容物の中心部まで充分に殺菌するために、外側部分の内容物には過度の熱処理が行われ、その結果、内容物の変質により、栄養分の損失や吸収されにくくなることが考えられる。
【０００７】
このような過度の熱処理を行わずに、充分な無菌性を得る方法として、無菌充填方法がある。これは、内容物は液体殺菌機などで殺菌しておき、殺菌処理した包装材料に、無菌の雰囲気中で無菌的に内容物を充填し密封シールする方法である。
【０００８】
このような無菌充填の場合は、包装材料の殺菌処理には、過酸化水素水へ浸漬させたり、過酸化水素ガスの雰囲気中を通したりして殺菌し、その後、包装材料に残留した過酸化水素を除去している。
【０００９】
しかし、前述のパウチのように、再封のためのチャックが設けられていると、チャックの嵌合部に残留した過酸化水素は除去することが難しく、充分に除去しようとすると除去する時間が長くなり、コスト的な問題が生じる。
公知文献を以下に示す。
【先行技術文献】
【特許文献】
【００１０】
【特許文献１】特許第５００３０３７号公報
【発明の概要】
【発明が解決しようとする課題】
【００１１】
本発明は上記のような事情に鑑みてなされたもので、殺菌に用いた過酸化水素が残留しても内容物に移りにくい包装袋の無菌製袋充填方法を提供することを課題とする。
【課題を解決するための手段】
【００１２】
本発明は係る課題に鑑みなされたものであり、請求項１の発明は、再封可能な包装袋の無菌製袋充填方法であって、
前記包装袋の表フィルムと裏フィルムとなる長尺フィルムを搬送する工程、前記表フィルムあるいは前記裏フィルムの所定の位置に再封部材を取り付ける工程、過酸化水素水に浸漬あるいは過酸化水素ガス処理により殺菌する工程、前記過酸化水素を除去する工程、製袋・充填シールする工程を有し、
前記再封部材が、雄型嵌合部と雌型嵌合部を有するチャックテープからなり、
前記再封部材を取り付ける工程が、前記包装袋の開封予定線の下方で、前記表フィルムの外面となる位置に、前記雄型嵌合部と前記雌型嵌合部とを並行して取り付ける工程であることを特徴とする包装袋の無菌製袋充填方法である。
【００１３】
本発明の請求項２の発明は、再封可能な包装袋の無菌製袋充填方法であって、
前記包装袋の表フィルムと裏フィルムとなる長尺フィルムを搬送する工程、前記表フィルムあるいは前記裏フィルムの所定の位置に再封部材を取り付ける工程、過酸化水素水に浸漬あるいは過酸化水素ガス処理により殺菌する工程、前記過酸化水素を除去する工程、製袋・充填シールする工程を有し、
前記再封部材が、互いに面々でくっつくことのできる面ファスナーからなり、
前記再封部材を取り付ける工程が、前記包装袋の開封予定線の下方で、前記表フィルムの外面となる位置に、互いに面々でくっつく前記面ファスナーを並行して取り付ける工程であることを特徴とする包装袋の無菌製袋充填方法である。
【００１４】
本発明の請求項３の発明は、再封可能な包装袋の無菌製袋充填方法であって、
前記包装袋の表フィルムと裏フィルムとなる長尺フィルムを搬送する工程、前記表フィルムあるいは前記裏フィルムの所定の位置に再封部材を取り付ける工程、過酸化水素水に浸漬あるいは過酸化水素ガス処理により殺菌する工程、前記過酸化水素を除去する工程、製袋・充填シールする工程を有し、
前記再封部材が、外面に保護層を設けた粘着層からなり、
前記再封部材を取り付ける工程が、前記包装袋の開封予定線の下方で、前記表フィルムの外面となる位置に、前記保護層を設けた粘着層を並行して取り付ける工程であることを特徴とする包装袋の無菌製袋充填方法である。
【００１５】
本発明の請求項４の発明は、再封可能な包装袋の無菌製袋充填方法であって、
前記包装袋の表フィルムと裏フィルムとなる長尺フィルムを搬送する工程、前記表フィルムあるいは前記裏フィルムの所定の位置に再封部材を取り付ける工程、過酸化水素水に浸漬あるいは過酸化水素ガス処理により殺菌する工程、前記過酸化水素を除去する工程、製袋・充填シールする工程を有し、
前記再封部材が、雄型嵌合部と雌型嵌合部を有するチャックテープからなり、
前記再封部材を取り付ける工程が、前記包装袋の開封予定線の下方で、前記雄型嵌合部と前記雌型嵌合部の間を２回同方向に折り返すことにより前記雄型嵌合部と前記雌型嵌合部が嵌合するように、前記表フィルムの外面となる位置と前記裏フィルムの外面となる位置にそれぞれ前記雄型嵌合部と前記雌型嵌合部とを取り付ける工程であることを特徴とする包装袋の無菌製袋充填方法である。
【００１６】
本発明の請求項５の発明は、再封可能な包装袋の無菌製袋充填方法であって、
前記包装袋の表フィルムと裏フィルムとなる長尺フィルムを搬送する工程、前記表フィルムあるいは前記裏フィルムの所定の位置に再封部材を取り付ける工程、過酸化水素水に浸
漬あるいは過酸化水素ガス処理により殺菌する工程、前記過酸化水素を除去する工程、製袋・充填シールする工程を有し、
前記再封部材が、互いに面々でくっつくことのできる面ファスナーからなり、前記再封部材を取り付ける工程が、前記包装袋の開封予定線の下方で、互いに面々でくっつく２つの前記面ファスナーの間を２回同方向に折り返すことにより２つの前記面ファスナーがくっつくように、前記表フィルムの外面となる位置と前記裏フィルムの外面となる位置にそれぞれ前記面ファスナーを取り付ける工程であることを特徴とする包装袋の無菌製袋充填方法である。
【発明の効果】
【００１７】
本発明の包装袋の無菌製袋充填方法は、殺菌に用いた過酸化水素の残留しやすい再封部材が、表フィルムや裏フィルムの外面に設けられているので、残留した過酸化水素が内容物に移りにくい。また、２回同方向に折り返すことにより再封部材を嵌合あるいはくっつけるようにした場合は、密封性が高い。
【図面の簡単な説明】
【００１８】
【図１】本発明の包装袋の無菌製袋充填方法の第１の実施形態で製袋する包装袋を模式的に平面で示した説明図である。
【図２】本発明の包装袋の無菌製袋充填方法の第１の実施形態で製袋する包装袋の開封した状態を模式的に平面で示した説明図である。
【図３】本発明の包装袋の無菌製袋充填方法の第２の実施形態で製袋する包装袋を模式的に平面で示した説明図である。
【図４】本発明の包装袋の無菌製袋充填方法の第３の実施形態で製袋する包装袋を模式的に平面で示した説明図である。
【図５】本発明の包装袋の無菌製袋充填方法の第４の実施形態で製袋する包装袋を模式的に平面で示した説明図である。
【図６】本発明の包装袋の無菌製袋充填方法の第４の実施形態で製袋する包装袋の開封した状態を模式的に平面で示した説明図である。
【図７】本発明の包装袋の無菌製袋充填方法の第５の実施形態で製袋する包装袋を模式的に平面で示した説明図である。
【図８】本発明の包装袋の無菌製袋充填方法のフローチャートである。
【発明を実施するための形態】
【００１９】
＜第１の実施形態＞
以下、本発明を実施するための第１の実施形態につき説明する。
図１は、本発明の包装袋の無菌製袋充填方法の第１の実施形態で製袋する包装袋を模式的に平面で示した説明図である。図２は、本発明の包装袋の無菌製袋充填方法の第１の実施形態で製袋する包装袋の開封した状態を模式的に平面で示した説明図である。
【００２０】
第１の実施形態で無菌製袋充填する包装袋１００は、図１のように、表裏のフィルムが重ね合わされ、天シール部１、左側シール部２、右側シール部３と地シール部４で囲まれた未シール部からなる内容物収納部が設けられた包装袋である。
【００２１】
天シール部１の右側は広幅シール部１ａになっていて、広幅シール部１ａは包装袋１００の左右中央より左側まで設けられている。また、左右中央には、上端から下方に向かう切り欠き５が設けられ、また、切り欠き５の下方には吊下孔６が設けられている。地シール部４は、左右が傾斜して中央部が低くなるように形成されていて、中央部に口栓７が表裏のフィルムに挟まれ、接着して取り付けられている。
【００２２】
そして、左側シール部２と広幅シール部１ａの間が、希釈液などを追加するときの投入
路となっていて、天シール部１の近傍下方に開封予定線８が設けられ、開封予定線８の左側の左側シール部２には、開封用ノッチ９が設けられている。
【００２３】
更に、開封予定線８の下方には、表フィルムの外面に再封部材のチャックテープ１０が設けられている。チャックテープ１０は、雄型嵌合部と、雄型嵌合部が嵌り込む雌型嵌合部とを有し、雄型嵌合部には、表フィルムに取り付けるための雄側取付基部が一体として設けられて、雄側チャックテープ１０ａを形成し、また、雌型嵌合部には、表フィルムに取り付けるための雌側取付基部が一体として設けられて雌側チャックテープ１０ｂを形成している。この雄側チャックテープ１０ａと雌側チャックテープ１０ｂが、折返予定線１１を挟んで並行して取り付けられている。
【００２４】
このようになっているので、開封用ノッチ９から開封予定線８に沿って引き裂いて開封し投入路を開いた後、折返予定線１１で上端部分を折り返して、雄側チャックテープ１０ａを雌側チャックテープ１０ｂに重ね合わせ、雄型嵌合部を雌型嵌合部に嵌め込んで係止すると、図２のように、包装袋１００が再封される。
【００２５】
＜第２の実施形態＞
以下、本発明を実施するための第２の実施形態につき説明する。
図３は、本発明の包装袋の無菌製袋充填方法の第２の実施形態で製袋する包装袋を模式的に平面で示した説明図である。
【００２６】
第２の実施形態で無菌製袋充填する包装袋２００は、図３のように、表裏のフィルムが重ね合わされ、天シール部１、左側シール部２、右側シール部３と地シール部４で囲まれた未シール部からなる内容物収納部が設けられた包装袋である。
【００２７】
天シール部１の右側は広幅シール部１ａになっていて、広幅シール部１ａは包装袋２００の左右中央より左側まで設けられている。また、左右中央には、上端から下方に向かう切り欠き５が設けられ、また、切り欠き５の下方には吊下孔６が設けられている。地シール部４は、左右が傾斜して中央部が低くなるように形成されていて、中央部に口栓７が表裏のフィルムに挟まれ、接着して取り付けられている。
【００２８】
そして、左側シール部２と広幅シール部１ａの間が、希釈液などを追加するときの投入路となっていて、天シール部１の近傍下方に開封予定線８が設けられ、開封予定線８の左側の左側シール部２には、開封用ノッチ９が設けられている。
【００２９】
更に、開封予定線８の下方には、表フィルムの外面に再封部材の面ファスナー２０が設けられている。面ファスナー２０は、面々で押し付けたときにくっついて係止でき、強く引っ張れば剥がせるものであればよい。構造としては、シート状やテープ状の基材に、ループ状とフック状の線状の樹脂を取り付け、ループ状の部分にフック状の部分が引っ掛かり、くっついて係止する構造が一般的である。
【００３０】
この面々で押し付けたときにくっついて係止できる面ファスナー２０ａと面ファスナー２０ｂが、折返予定線１１を挟んで並行して取り付けられている。
【００３１】
このようになっているので、開封用ノッチ９から開封予定線８に沿って引き裂いて開封し投入路を開いた後、折返予定線１１で上端部分を折り返して、面ファスナー２０ａを面ファスナー２０ｂに重ね合わせ、押し付け、くっつけて係止させる。このようにすると、図２の包装袋１００ように、包装袋２００も再封することができる。
【００３２】
＜第３の実施形態＞
以下、本発明を実施するための第３の実施形態につき説明する。
図４は、本発明の包装袋の無菌製袋充填方法の第３の実施形態で製袋する包装袋を模式的に平面で示した説明図である。
【００３３】
第３の実施形態で無菌製袋充填する包装袋３００は、図４のように、表裏のフィルムが重ね合わされ、天シール部１、左側シール部２、右側シール部３と地シール部４で囲まれた未シール部からなる内容物収納部が設けられた包装袋である。
【００３４】
天シール部１の右側は広幅シール部１ａになっていて、広幅シール部１ａは包装袋３００の左右中央より左側まで設けられている。また、左右中央には、上端から下方に向かう切り欠き５が設けられ、また、切り欠き５の下方には吊下孔６が設けられている。地シール部４は、左右が傾斜して中央部が低くなるように形成されていて、中央部に口栓７が表裏のフィルムに挟まれ、接着して取り付けられている。
【００３５】
そして、左側シール部２と広幅シール部１ａの間が、希釈液などを追加するときの投入路となっていて、天シール部１の近傍下方に開封予定線８が設けられ、開封予定線８の左側の左側シール部２には、開封用ノッチ９が設けられている。
【００３６】
更に、開封予定線８の下方には、表フィルムの外面に再封部材の粘着部材３０が設けられている。粘着部材３０は、保護層を設けた粘着層を有し、保護層が粘着層の外側になっていて粘着層を保護している。粘着部材３０は折返予定線１１の下方に設けている。これに限らず、折返予定線１１の上方に設けてもよい。
【００３７】
このようになっているので、開封用ノッチ９から開封予定線８に沿って引き裂いて開封し投入路を開いた後、粘着部材３０の保護層を剥がして、折返予定線１１で上端部分を折り返して、粘着部材３０の粘着層で折り返した上端部分をくっつけて係止させる。このようにすると、図２の包装袋１００ように、包装袋３００も再封することができる。
【００３８】
粘着部材３０の保護層は、粘着層に剥離可能に接着して、粘着層を保護する層で、例えばシリコン処理した紙などが用いられる。また、粘着層は粘着剤からなり、直接表フィルムに塗布形成してもよいし、両面粘着テープなどを貼って形成してもよい。
【００３９】
＜第４の実施形態＞
以下、本発明を実施するための第４の実施形態につき説明する。
図５は、本発明の包装袋の無菌製袋充填方法の第４の実施形態で製袋する包装袋を模式的に平面で示した説明図である。図６は、本発明の包装袋の無菌製袋充填方法の第４の実施形態で製袋する包装袋の開封した状態を模式的に平面で示した説明図である。
【００４０】
第４の実施形態で無菌製袋充填する包装袋４００は、図５のように、表裏のフィルムが重ね合わされ、天シール部１、左側シール部２、右側シール部３と地シール部４で囲まれた未シール部からなる内容物収納部が設けられた包装袋である。
【００４１】
天シール部１の右側は広幅シール部１ａになっていて、広幅シール部１ａは包装袋１００の左右中央より左側まで設けられている。また、左右中央には、上端から下方に向かう切り欠き５が設けられ、また、切り欠き５の下方には吊下孔６が設けられている。地シール部４は、左右が傾斜して中央部が低くなるように形成されていて、中央部に口栓７が表裏のフィルムに挟まれ、接着して取り付けられている。
【００４２】
そして、左側シール部２と広幅シール部１ａの間が、希釈液などを追加するときの投入路となっていて、天シール部１の近傍下方に開封予定線８が設けられ、開封予定線８の左
側の左側シール部２には、開封用ノッチ９が設けられている。
【００４３】
更に、開封予定線８の下方には、再封部材のチャックテープ１０が設けられている。チャックテープ１０は、雄型嵌合部と、雄型嵌合部が嵌り込む雌型嵌合部とを有し、雄型嵌合部には、フィルムに取り付けるための雄側取付基部が一体として設けられて、雄側チャックテープ１０ａを形成し、また、雌型嵌合部には、フィルムに取り付けるための雌側取付基部が一体として設けられて雌側チャックテープ１０ｂを形成している。
【００４４】
本実施形態では、雄側チャックテープ１０ａは裏フィルムの外面に設けられ、雌側チャックテープ１０ｂは表フィルムの外面に設けられている。雄側チャックテープ１０ａと雌側チャックテープ１０ｂを逆に設けてもよい。
【００４５】
雄側チャックテープ１０ａは開封予定線８のすぐ下に設けられ、雌側チャックテープ１０ｂは雄側チャックテープ１０ａから上下２つの折返予定線１１ａ、１１ｂを挟んで設けられている。折返予定線１１ａと折返予定線１１ｂの距離は、開封予定線８と折返予定線１１ａの距離より長くなっている。
【００４６】
このようになっているので、開封用ノッチ９から開封予定線８に沿って引き裂いて開封し投入路を開いた後、折返予定線１１ａで上端部分を手前に折り返して、更に折返予定線１１ｂで手前に折り返して、裏フィルムの外面に設けた雄側チャックテープ１０ａを、表フィルムの外面に設けた雌側チャックテープ１０ｂ重ね合わせ、雄型嵌合部を雌型嵌合部に嵌め込んで係止すると、図６のように、包装袋４００が再封される。
【００４７】
＜第５の実施形態＞
以下、本発明を実施するための第５の実施形態につき説明する。
図７は、本発明の包装袋の無菌製袋充填方法の第５の実施形態で製袋する包装袋を模式的に平面で示した説明図である。
【００４８】
第５の実施形態で無菌製袋充填する包装袋５００は、図７のように、表裏のフィルムが重ね合わされ、天シール部１、左側シール部２、右側シール部３と地シール部４で囲まれた未シール部からなる内容物収納部が設けられた包装袋である。
【００４９】
天シール部１の右側は広幅シール部１ａになっていて、広幅シール部１ａは包装袋５００の左右中央より左側まで設けられている。また、左右中央には、上端から下方に向かう切り欠き５が設けられ、また、切り欠き５の下方には吊下孔６が設けられている。地シール部４は、左右が傾斜して中央部が低くなるように形成されていて、中央部に口栓７が表裏のフィルムに挟まれ、接着して取り付けられている。
【００５０】
そして、左側シール部２と広幅シール部１ａの間が、希釈液などを追加するときの投入路となっていて、天シール部１の近傍下方に開封予定線８が設けられ、開封予定線８の左側の左側シール部２には、開封用ノッチ９が設けられている。
【００５１】
更に、開封予定線８の下方には、再封部材の面ファスナー２０が設けられている。面ファスナー２０は、面ファスナー２０ａと面ファスナー２０ｂを面々で押し付けたときにくっついて係止でき、強く引っ張れば剥がせるものであればよい。構造としては、シート状やテープ状の基材に、ループ状とフック状の線状の樹脂を取り付け、ループ状の部分にフック状の部分が引っ掛かり、くっついて係止する構造が一般的である。
【００５２】
本実施形態では、面ファスナー２０ａは裏フィルムの外面に設けられ、面ファスナー２０ｂは表フィルムの外面に設けられている。雄面ファスナー２０ａは開封予定線８のすぐ下に設けられ、面ファスナー２０ｂは雄面ファスナー２０ａから上下２つの折返予定線１１ａ、１１ｂを挟んで設けられている。折返予定線１１ａと折返予定線１１ｂの距離は、開封予定線８と折返予定線１１ａの距離より長くなっている。
【００５３】
このようになっているので、開封用ノッチ９から開封予定線８に沿って引き裂いて開封し投入路を開いた後、折返予定線１１ａで上端部分を手前に折り返して、更に折返予定線１１ｂで手前に折り返して、裏フィルムの外面に設けた雄面ファスナー２０ａを、表フィルムの外面に設けた面ファスナー２０ｂに重ね合わせ、押し付け、くっつけて係止させる。このようにすると、図６の包装袋４００ように、包装袋５００も再封することができる。
【００５４】
以上のように、本発明の包装袋の無菌製袋充填方法で製袋する包装袋は、開封用ノッチ９から開封予定線８に沿って引き裂いて開封し投入路を開き、あらかじめ内容物収納部に収納されていている内容物に、希釈液などを追加することができる。また、再封部材が設けられているので、再封することができる。
【００５５】
そして、口栓７にチューブなどを接続し、吊下孔６をフックに掛けて吊下げ、患者さんなどに流動食を投与することができる。このとき、地シール部４は、左右が傾斜して中央部が低くなるように形成されていて、中央部に口栓７が設けられているので、スムーズに流れ出る。
【００５６】
図８は、本発明の包装袋の無菌製袋充填方法のフローチャートである。
以下、本発明の包装袋の無菌製袋充填方法について、図８のフローチャートを参照して説明する。
【００５７】
（ステップＳ１）包装袋の表フィルムと裏フィルムとなる長尺フィルムを搬送する。表フィルムと裏フィルムを別々の長尺フィルムとして搬送してもよいが、表フィルムと裏フィルムが天シール部１側を幅方向中央にして連続している長尺フィルムを搬送する方が、見当ズレが起きにくく好ましい。
【００５８】
（ステップＳ２）表フィルムあるいは裏フィルムの外面の所定の位置になるように長尺フィルムに再封部材を取り付ける。また、包装袋の地シール部４の中央部になるように口栓７を接着して取り付ける。再封部材の取り付けは、前述の包装袋の形状に合わせて行う。
【００５９】
包装袋１００では、表フィルムの外面で、開封予定線８の下方に、再封部材である雄側チャックテープ１０ａと雌側チャックテープ１０ｂを、折返予定線１１を挟んで並行して取り付ける。また、包装袋２００では、表フィルムの外面で、開封予定線８の下方に、再封部材である面ファスナー２０ａと面ファスナー２０ｂを、折返予定線１１を挟んで並行して取り付ける。
【００６０】
包装袋３００では、表フィルムの外面で、開封予定線８の下方に、再封部材である粘着部材３０を折返予定線１１の下方に設ける。あるいは、粘着部材３０を折返予定線１１の上方に設けてもよい。
【００６１】
包装袋４００では、開封予定線８の下方に、再封部材のチャックテープ１０である雄側チャックテープ１０ａと雌側チャックテープ１０ｂを取り付ける。雄側チャックテープ１０ａは裏フィルムの外面に設け、雌側チャックテープ１０ｂは表フィルムの外面に設ける。
【００６２】
雄側チャックテープ１０ａは開封予定線８のすぐ下に設け、雌側チャックテープ１０ｂは雄側チャックテープ１０ａから２つの折返予定線１１ａ、１１ｂを挟んで、折返予定線１１ｂの下に設ける。折返予定線１１ａと折返予定線１１ｂの距離は、開封予定線８と折返予定線１１ａの距離より長くなっている。
【００６３】
包装袋５００では、開封予定線８の下方に、再封部材の面ファスナー２０の面ファスナー２０ａと面ファスナー２０ｂを取り付ける。取り付ける位置は、面ファスナー２０ａが包装袋４００の雄側チャックテープ１０ａと同じで、面ファスナー２０ｂは雌側チャックテープ１０ｂと同じである。
【００６４】
（ステップＳ３）再封部材を取り付けた長尺フィルムを過酸化水素水に浸漬あるいは過酸化水素ガス処理により殺菌する。
【００６５】
（ステップＳ４）過酸化水素水に浸漬あるいは過酸化水素ガス処理した再封部材を取り付けた長尺フィルムには、過酸化水素が表面に付着したり、表面近傍に浸透したりしているので、無菌エアーなどの無菌ガスを吹き付けて過酸化水素を除去する。場合によっては、無菌の水で洗ってから、無菌ガスを吹き付けてもよい。
【００６６】
（ステップＳ５）製袋・充填シールする。過酸化水素で殺菌して、過酸化水素を除去した再封部材を取り付けた長尺フィルムを、表フィルムと裏フィルムの内面どうしが対向して重なるようにして、内容物の充填口となるシール部を除き、周縁部をシールする。このとき、地シール部４は口栓７を挟んでシールする。
【００６７】
そして、シールしなかった内容物の充填口から、別途殺菌された内容物を充填し、充填口をシールし密封する。そして、外形を抜きや断裁により切断し、内容物の充填された包装袋が得られる。また、切り欠き５、吊下孔６や、開封用ノッチ９もこの抜きや断裁時に設ける。
【００６８】
以上のステップＳ１からステップＳ５の工程は、クリーンルームやクリーンブースなどの無菌雰囲気内にて行う。また、過酸化水素による殺菌や過酸化水素の除去は、更に囲われたゾーンを設けて、他の工程に酸化水素が拡散しないようにして行うことが好ましい。
【００６９】
本発明の包装袋の無菌製袋充填方法では、以上のようにして包装袋を製造するので、過酸化水素が残留しやすい再封部材が包装袋の外面に設けられ、内容物に過酸化水素が移りにくい。
【００７０】
本発明の包装袋の無菌製袋充填方法で用いる長尺フィルムには、基材層とシーラント層が積層された積層フィルムが好ましく用いられる。基材層としては、ナイロン、ポリエチレンテレフタレート、ポリプロピレン等の樹脂の２軸延伸、あるいは、１軸延伸、未延伸のフィルムが好ましく使用できる。その場合の厚さは１２〜５０μｍ程度である。
【００７１】
基材層を多層にして設けても良い。多層の基材層としては、外層側から、ポリエチレンテレフタレート／ナイロン、ナイロン／ポリエチレンテレフタレート、ナイロン／無機酸化物蒸着ポリエチレンテレフタレート、ナイロン／エチレンビニル合うコール共重合体、などの積層したフィルムを用いることができる。蒸着に用いる無機酸化物としては、アルミナやシリカなどが好ましく用いられる。
【００７２】
シーラント層には、熱溶融性樹脂が用いられる。低密度ポリエチレンや直鎖状低密度ポリエチレンが好ましく用いられる。また、これらの樹脂どうしあるいは他の樹脂とからなる多層の共押し出しフィルムを用いても良い。
【００７３】
シーラント層の厚さは、内容物の量によって、調整されるものであるが、５０μｍから１８０μｍの厚さが用いられやすい。
【００７４】
基材層とシーラント層の貼り合せ方法、および、多層の基材層の基材どうしの貼り合せ方法は、ドライラミネート法で行うことが好ましい。また、場合によっては、サンドイッチラミネート法で行ってもかまわないし、シーラント層を押出機から製膜しながら押出して、基材層に貼り合わせる押出ラミネート法で行っても良い。
【００７５】
また、絵柄印刷層を基材層の裏面に設けることができる。また、多層の基材層の場合は、基材どうしの層の間に絵柄印刷層を設けることができる。絵柄印刷層を設ける印刷方式は、特に限定するものではないが、通常、グラビア印刷、あるいは、フレキソ印刷が用いられる。
【００７６】
このようにして、無菌製袋充填した包装袋を使用する場合、例えば内容物が流動食であれば、左側シール部２に設けられた開封用ノッチ９から開封予定線８に沿って切り欠き５まで引き裂いて開封し投入路を開き、あらかじめ内容物収納部に収納されている内容物に、希釈液などを追加する。そして、再封部材を用いて再封する。
【００７７】
次に、口栓７にチューブなどを接続し、吊下孔６をフックに掛けて吊下げ、患者さんに流動食を投与する。このとき、地シール部４は、左右が傾斜して中央部が低くなるように形成されていて、中央部に口栓７が設けられているので、内容物収納部の中のものはスムーズに流れ出る。
【００７８】
以上のように、本発明の包装袋の無菌製袋充填方法によれば、殺菌に用いた過酸化水素が残留しても内容物に移りにくい。
【符号の説明】
【００７９】
１００、２００、３００、４００、５００・・・包装袋
１・・・天シール部
２・・・左側シール部
３・・・右側シール部
４・・・地シール部
１ａ・・・広幅シール部
５・・・切り欠き
６・・・吊下孔
７・・・口栓
８・・・開封予定線
９・・・開封用ノッチ
１０・・・チャックテープ
１０ａ・・・雄側チャックテープ
１０ｂ・・・雌側チャックテープ
１１、１１ａ、１１ｂ・・・折返予定線
２０、２０ａ、２０ｂ・・・面ファスナー
３０・・・粘着部材
【図１】
2017039525.tif 000003
【図２】
2017039525.tif 000004
【図３】
2017039525.tif 000005
【図４】
2017039525.tif 000006
【図５】
2017039525.tif 000007
【図６】
2017039525.tif 000008
【図７】
2017039525.tif 000009
【図８】
2017039525.tif 000010